(57)【要約】【課題】ベストエフォート帯域の割り当て方法及び装置に関し、各ユーザに対して契約通信レートに即した公平なベストエフォート帯域を割り当てるようにする。【解決手段】最低帯域保証・ベストエフォート型通信サービスを提供する各ポート＃１，＃２，＃３から入力されるデータの流出量を計測し、該計測結果を基に、各ポートのベストエフォート帯域分の流出量の統計情報を統計情報取得部１−２２で算出し、統計情報を基に契約通信レートに対してより多くのデータを流出したポートのピークレート設定値を低く設定するよう、ポリサー設定部１−１１にフィードバックし、このピークレート設定値及び最低帯域保証レートを基に、ポリサー機能及びシェーパ機能により、各ポートに対してベストエフォート帯域分を公平に割り当て、より多くのデータを流出しているユーザの廃棄パケット数を多くし、他のユーザのパケットが通過しやすいようにする。【選択図】図１
2008085692.tif 000002
【特許請求の範囲】
【請求項１】
最低帯域保証型及びベストエフォート型の通信サービスを提供する各ポートから入力されるパケットデータの流出量を計測し、
前記計測結果を基に、各ポートのベストエフォート帯域分のパケットデータ流出量の、課金対象期間に対応した統計情報を算出し、
前記統計情報を基に、契約した通信レートに対してより多くのパケットデータを流出したポートのピークレート設定値を低く設定するようピークレート設定値を変更し、
前記ピークレート設定値及び最低帯域保証レートを基に、前記各ポートに対してベストエフォート帯域分を公平に割り当てることを特徴とするベストエフォート帯域の割り当て方法。
【請求項２】
最低帯域保証型及びベストエフォート型の通信サービスを提供する各ポートから入力されるパケットデータの流出量を計測し、該計測結果を基に、各ポートのベストエフォート帯域分のパケットデータ流出量の、課金対象期間に対応した統計情報を算出する統計情報取得部と、
前記統計情報を基に、契約した通信レートに対してより多くのパケットデータを流出したポートのピークレート設定値を低く設定するようピークレート設定値を変更するポリサー設定部と、
前記ピークレート設定値及び最低帯域保証レートを基に、前記各ポートに対してベストエフォート帯域分を公平に割り当てポリサー機能及びシェーパ機能と
を備えたことを特徴とするベストエフォート帯域の割り当て装置。
【請求項３】
前記各ポートから入力されるパケットデータの流出量の計測結果を、上位のオペレーションシステムに通知し、前記オペレーションシステムで算出された前記ポート毎のベストエフォート帯域分のパケットデータ流出量の、課金対象期間に対応した統計情報を基に、前記各ポートのピークレート設定値を変更することを特徴とする請求項２に記載のベストエフォート帯域の割り当て装置。
【請求項４】
最低帯域保証型及びベストエフォート型の通信サービスを提供する各ポートから入力されるパケットデータの流出量を計測し、該計測結果を基に、各ポートのベストエフォート帯域分のパケットデータ流出量の、課金対象期間に対応した統計情報を算出する統計情報取得部と、
前記統計情報を基に、契約した通信レートに対してより多くのパケットデータを流出したポートのピークレート許容バースト設定値を低く設定するようピークレート許容バースト設定値を変更するポリサー設定部と、
ピークレート設定値及び最低帯域保証レートを基に、前記各ポートに対してベストエフォート帯域分を公平に割り当てポリサー機能及びシェーパ機能と
を備えたことを特徴とするベストエフォート帯域の割り当て装置。
【請求項５】
最低帯域保証型及びベストエフォート型の通信サービスを提供する各ポートから入力されるパケットデータの流出量を計測し、該計測結果を基に、各ポートのベストエフォート帯域分のパケットデータ流出量の、課金対象期間に対応した統計情報を算出する統計情報取得部と、
前記統計情報を基に、契約した通信レートに対してより多くのパケットデータを流出したポートの最低帯域保証レート許容バースト設定値を低く設定するよう最低帯域保証レート許容バースト設定値を変更するポリサー設定部と、
ピークレート設定値及び最低帯域保証レートを基に、前記各ポートに対してベストエフォート帯域分を公平に割り当てポリサー機能及びシェーパ機能と
を備えたことを特徴とするベストエフォート帯域の割り当て装置。
【発明の詳細な説明】
【技術分野】
【０００１】
本発明は、ベストエフォート帯域の割り当て方法及び装置に関し、特に、レイヤ２ネットワークにおけるベストエフォート帯域を各エンドユーザに公平に割り当て、また通信キャリアのネットワークにおいて最低帯域保証サービスを提供する場合、ベストエフォート帯域分を各エンドユーザの契約料金に応じて割り当てる方法及び装置に係る。
【背景技術】
【０００２】
従来、広域イーサネット（登録商標）においては、エンドユーザ（以下、単にユーザと記す）に対して契約帯域を確保する最低帯域保証型のサービスが主要な通信サービスであった。しかし、非同期転送モード（ＡＴＭ：Asynchronous Transfer Mode）ネットワークでは、最低帯域保証型のサービス以外に最低帯域保証型とベストエフォート型とを組み合わせた帯域保証・ベストエフォートサービスがあり、広域イーサネット（登録商標）のサービスにもこの帯域保証・ベストエフォートサービスの実施が要望されている。
【０００３】
広域イーサネット（登録商標）で帯域保証・ベストエフォートサービスを実施する際の問題点として、帯域保証分以上のベストエフォート帯域分に関して、各ユーザに公平に割り当てられない場合があった。公平に割り当てられない理由は、より多くのデータを送出するユーザ（特定のヘビーユーザ等）のパケットデータがベストエフォート帯域を通過しやすくなるためである。
【０００４】
レイヤ３ネットワークにおけるベストエフォート帯域を公平に分配する方式については、例えば下記の特許文献１等に記載されている。同文献に記載のものは、エッジルータにおいて帯域保証目標レート（ＣＴＲ：Committed Target Rate）とピーク目標レート（ＰＴＲ：Peak Target Rate）とをパラメータとして用い、ユーザが送出したデータトラヒックの平均レートを観測し、該平均レートを基にユーザからのデータに対して、帯域保証目標レート（ＣＴＲ）未満分はＧｒｅｅｎに、帯域保証目標レート（ＣＴＲ）以上ピーク目標レート（ＰＴＲ）未満分はＹｅｌｌｏｗに、ピーク目標レート（ＰＴＲ）以上分はＲｅｄにマーキングし、コアルータにおいて各マーキングに対応した廃棄率でデータを廃棄する優先制御方式であり、最低帯域保証転送サービスを提供する場合、余剰帯域の分配に関して、フロー数の差異による余剰帯域分配の不公平性を緩和するために、プロファイル毎に多重されるフロー数を観測し、観測したフロー数の逆数の比に応じて、帯域保証目標レート（ＣＴＲ）等のスレッショルド値を変更するものである。
【特許文献１】特開２００２−２６１８１４号公報
【発明の開示】
【発明が解決しようとする課題】
【０００５】
帯域保証・ベストエフォートサービスにおいて、ベストエフォート帯域分は、より多くのデータを送出したユーザのパケットデータが通過しやすいという特性について、図５に示す具体例を基に説明する。ここで、帯域保証分は最低帯域保証レート（ＣＩＲ：Committed Information Rate）分であり、ベストエフォート帯域分はピークレート（ＰＩＲ：Peak Information Rate）と最低帯域保証レート（ＣＩＲ）との差し引き（ＰＩＲ−ＣＩＲ）分となる。
【０００６】
図５の（ａ）に示すように、各ユーザＡ，Ｂ，Ｃは、最低帯域保証レート（ＣＩＲ）及びピークレート（ＰＩＲ）同一であり、それぞれ、最低帯域保証レート（ＣＩＲ）が５Ｍｂｐｓ、ピークレート（ＰＩＲ）が１０Ｍｂｐｓの契約を通信キャリアと締結しているものとする。即ち、各ユーザＡ，Ｂ，Ｃは、最低帯域保証レートが同一であると共にベストエフォートサービスで使用可能な帯域が同一である。
【０００７】
そして、ユーザＡ（ポート＃１）からは８Ｍｂｐｓ、ユーザＢ（ポート＃２）からは１０Ｍｂｐｓ、ユーザＣ（ポート＃３）からは７Ｍｂｐｓでデータが送出され、これらのデータが合流し、ポート＃４からは２０Ｍｂｐｓに絞られて出力されるものとすると、全データの入力レートは２５（＝８＋１０＋７）Ｍｂｐｓであるため、５（＝２５−２０）Ｍｂｐｓ分のデータがポート＃４のシェーパ機能により破棄されることになる。
【０００８】
ポート＃４のシェーパ機能において破棄されることなく通過するパケットデータは到着順に処理されて出力されるため、ユーザＡの出力レートは６．４Ｍｂｐｓ（＝８Ｍｂｐｓ×（２０Ｍｂｐｓ÷２５Ｍｂｐｓ））となる。同様にユーザＢの出力レートは８Ｍｂｐｓ（＝１０Ｍｂｐｓ×（２０Ｍｂｐｓ÷２５Ｍｂｐｓ））、ユーザＣの出力レートは５．６Ｍｂｐｓ（＝７Ｍｂｐｓ×（２０Ｍｂｐｓ÷２５Ｍｂｐｓ））となる（図５（ｂ）参照）。
【０００９】
各ユーザＡ，Ｂ，Ｃは最低帯域保証レート（ＣＩＲ）及びピークレート（ＰＩＲ）に関して、同一の条件で同一の契約料金を支払っていることから、本来は、各ユーザＡ，Ｂ，Ｃのベストエフォート帯域分も同一で６．６６Ｍｂｐｓとなるところ、データを最も多く流出しているユーザＢが、ユーザＡ及びユーザＣと比べてより多くのベストエフォート帯域を使用することができるようになり、データをより多く流出するユーザがより多くの帯域を使用することができるという不公平を生じてしまう問題がある。
【００１０】
また、前述の特許文献１に記載のもののように、従来の帯域割り当ての公平制御は、到着したパケット数（ＴＣＰフロー数）をＴｉｍｅ  Ｓｌｉｄｉｎｇ  Ｗｉｎｄｏｗというミクロ的な期間で測定した結果を基に帯域割り当てを制御するため、課金対象期間である一ヶ月等のスパンで各ユーザのデータトラフィック疎通率を観測すると、同一契約内容のユーザであっても各ユーザにベストエフォート帯域が公平に分配されないという問題があった。
【００１１】
本発明は、契約した通信レートに対して、より多量にデータを流出しているユーザの廃棄パケット数を多くし、他のユーザのパケットが通過しやすいようにし、契約した通信レートに即した公平なベストエフォート帯域を割り当てることができるベストエフォート帯域を割り当て方法及び装置を提供することを目的とする。
【課題を解決するための手段】
【００１２】
本発明のベストエフォート帯域の割り当て方法は、最低帯域保証型及びベストエフォート型の通信サービスを提供する各ポートから入力されるパケットデータの流出量を計測し、前記計測結果を基に、各ポートのベストエフォート帯域分のパケットデータ流出量の、課金対象期間に対応した統計情報を算出し、前記統計情報を基に、契約した通信レートに対してより多くのパケットデータを流出したポートのピークレート設定値を低く設定するようピークレート設定値を変更し、前記ピークレート設定値及び最低帯域保証レートを基に、前記各ポートに対してベストエフォート帯域分を公平に割り当てることを特徴とする。
【００１３】
また、本発明のベストエフォート帯域の割り当て装置は、最低帯域保証型及びベストエフォート型の通信サービスを提供する各ポートから入力されるパケットデータの流出量を計測し、該計測結果を基に、各ポートのベストエフォート帯域分のパケットデータ流出量の、課金対象期間に対応した統計情報を算出する統計情報取得部と、前記統計情報を基に、契約した通信レートに対してより多くのパケットデータを流出したポートのピークレート設定値を低く設定するようピークレート設定値を変更するポリサー設定部と、前記ピークレート設定値及び最低帯域保証レートを基に、前記各ポートに対してベストエフォート帯域分を公平に割り当てポリサー機能及びシェーパ機能と、を備えたことを特徴とする。
【００１４】
また、前記各ポートから入力されるパケットデータの流出量の計測結果を、上位のオペレーションシステムに通知し、前記オペレーションシステムで算出された前記ポート毎のベストエフォート帯域分のパケットデータ流出量の、課金対象期間に対応した統計情報を基に、前記各ポートのピークレート設定値を変更することを特徴とする。
【００１５】
また、前記ピークレート設定値の設定変更に代えて、ピークレート許容バースト設定値又は最低帯域保証レート許容バースト設定値を、それぞれ、前記統計情報を基に、契約した通信レートに対してより多くのパケットデータを流出したポートに対して低く設定するよう変更することを特徴とする。
【発明の効果】
【００１６】
本発明によれば、各ユーザ対応の各ポートから流出されるパケットデータの課金対象期間に対応した統計情報を取得し、その統計情報を基に、流出量の多いポートのピークレート設定値、ピークレート許容バースト設定値又は最低帯域保証レート許容バースト設定値を低く設定して、該ポートの出力レートを下げ、大量にパケットデータを流出しているポートの廃棄パケット数を多くすることで、他のユーザのパケットデータを通過させることにより、各ユーザに対して、契約した通信レートに即した公平なベストエフォート帯域を割り当てることができる。
【００１７】
また、従来、最低帯域保証レートに基づくサービス料金のみであったところを、ピークレート設定値も含めたサービス料金体系とし、該サービス料金に即したピークレート設定値に応じたベストエフォート帯域を割り当てることができ、ユーザに対してきめ細かい公平なベストエフォート帯域を割り当てることができる。
【発明を実施するための最良の形態】
【００１８】
図１の（ａ）は本発明によるレイヤ２スイッチの機能ブロックを示す。同図は、各ユーザから各ポート＃１〜ポート＃３へ入力されるパケットデータをポート＃４から上位のネットワーク機器に出力する上り方向のパケットデータ転送処理の機能ブロックを示している。なお、実際の通信には下り方向のパケットデータ転送処理もあるが、ここでは簡明化のため上り方向の転送処理の機能ブロックのみを示している。
【００１９】
図１の（ａ）において、入側処理部（Ingress）１−１はポリサー機能を有し、ポリサー設定部１−１１の設定に基づき、各ポートに到着するパケットに対して、ピークレート（ＰＩＲ）設定帯域以上の場合にはＲｅｄ（廃棄）、ピークレート（ＰＩＲ）設定帯域以下で最低帯域保証レート（ＣＩＲ）設定帯域以上の場合にはＹｅｌｌｏｗ（優先廃棄）、最低帯域保証レート（ＣＩＲ）設定帯域以下の場合にはＧｒｅｅｎ（通過）のマーキングを行い、また帯域の絞込みを行う機能等を有する。
【００２０】
出側処理部（Egress）１−２はシェーパ機能を有し、入側処理部（Ingress）１−１から渡されるパケットをキューに格納し、入側処理部（Ingress）１−１でマーキングされた結果を基に、シェーパ設定部１−２１の設定に従ってパケットの通過／廃棄の制御を行い、通過パケットをポート＃４から出力する。ポート＃４からは、各ポート＃１，＃２，＃３から入力されたパケットが多重されて出力される。
【００２１】
出側処理部（Egress）１−２のシェーパ機能は、優先廃棄しきい値を保持し、到来するパケットのトラフィックがこのしきい値以下であれば、Ｇｒｅｅｎパケット及びＹｅｌｌｏｗパケットをキューに格納し、トラフィックが優先廃棄しきい値以上である場合は、Ｇｒｅｅｎパケットのみキューに格納し、Ｙｅｌｌｏｗはキューに格納せずに廃棄する。また、シェーパ機能は優先サービス制御機能を有し、例えばハイ／ミドル／ローの３クラスの優先サービス制御を行う場合、ハイクラスのパケットを最優先に出力し、ミドルクラスのパケットをロークラスのパケットより優先して出力するよう制御する。
【００２２】
本発明によるレイヤ２スイッチは、出側処理部（Egress）１−２に統計情報取得部１−２２を備え、該統計情報取得部１−２２は、各ユーザの送信するパケットデータの流出量を計測して保存し、該流出量を基に各ユーザの例えば一日の平均通信量等のような課金対象期間の通信量を反映した統計情報を算出し、該統計情報をポリサー設定部１−１１にフィードバックし、ポリサー設定部１−１１は該統計情報を基に各ユーザのピークレート（ＰＩＲ）値を設定する。ただし、最低帯域保証レート（ＣＩＲ）以下にならないようにする。
【００２３】
即ち、図１の（ｂ）に示すように、統計情報取得部１−２２で各ユーザのトラフィック疎通状態を計測し（ステップＳ１１）、該計測結果を基にトラフィックの多いユーザのピークレート（ＰＩＲ）を低い値に設定する（ステップＳ１２）。これにより、他のユーザが使用し得るベストエフォート帯域分が増加する（ステップＳ１３）。
【００２４】
図２は、本発明による統計情報を基にピークレート（ＰＩＲ）値の設定変更を行う具体例を示している。同図の（ａ）はピークレート（ＰＩＲ）値の変更前の状態を示し、図５の動作例と同様に、各ユーザＡ，Ｂ，Ｃは、最低帯域保証レート（ＣＩＲ）５Ｍｂｐｓ、ピークレート（ＰＩＲ）１０Ｍｂｐｓであり、各ユーザＡ，Ｂ，Ｃからそれぞれ、８Ｍｂｐｓ、１０Ｍｂｐｓ、７Ｍｂｐｓのパケットデータが入力されるものとすると、ユーザＡのベストエフォート帯域分は３（＝８−５）Ｍｂｐｓ、ユーザＢのベストエフォート帯域分は５（＝１０−５）Ｍｂｐｓ、ユーザＣのベストエフォート帯域分は２（＝７−５）Ｍｂｐｓとなる。
【００２５】
一方、各ユーザのパケットデータの統計情報を基に、例えばヘビーユーザであるユーザＢに対して、ピークレート設定値（ＰＩＲ）を強制的に低い値、例えば７に設定する。こうすることにより、同図（ｂ）に示すように、ユーザＡのベストエフォート帯域分は３（＝８−５）Ｍｂｐｓ、ユーザＢのベストエフォート帯域分は２（＝７−５）Ｍｂｐｓ、ユーザＣのベストエフォート帯域分は２（＝７−５）Ｍｂｐｓとなり、相対的にユーザＡ及びユーザＣの帯域が増加し、各ユーザのベストエフォート帯域分が均一化され、ベストエフォート帯域の公平な割り当てが可能となる。
【００２６】
図３はオペレーションシステムによりピークレート（ＰＩＲ）の設定を行う実施形態を示す。同図の（ａ）は機能ブロックを示し、同図の（ｂ）は動作のフローを示す。この実施形態では、統計情報取得部１−２２で各ユーザのトラフィック疎通状態を計測し（ステップＳ３１）、レイヤ２スイッチ内のデータを遠隔監視制御部３−１に渡す（ステップＳ３２）。遠隔監視制御部３−１は、該測定結果をオペレーションシステム（ＯｐＳ）３−２に渡す（ステップＳ３３）。
【００２７】
オペレーションシステム（ＯｐＳ）３−２は、レイヤ２スイッチの上位の機能部である。オペレーションシステム（ＯｐＳ）３−２のスイッチ設定計算部３−２１では、上記の測定結果から各ユーザの課金対象期間の通信量を反映した統計情報を算出し、スイッチ情報制御部３−２２により、大量にデータを出力しているユーザＢのピークレート（ＰＩＲ）を下げるよう指示する制御情報をレイヤ２スイッチの監視制御部３−１に送出する。
【００２８】
監視制御部３−１は、上記制御情報によりポリサー設定部１−１１に対してユーザＢのピークレート（ＰＩＲ）値を低い値に設定するよう制御し、ポリサー設定部１−１１におけるユーザＢのピークレート（ＰＩＲ）が低い値に設定される（ステップＳ３４）。これにより、他のユーザが使用し得るベストエフォート帯域分が増加する（ステップＳ３５）。
【００２９】
上述したピークレート設定値（ＰＩＲ）を変更する実施形態のほかに、ピークレート許容バースト設定値（ＰＢＳ：Peak Burst Size）又は最低帯域保証レート許容バースト設定値（ＣＢＳ：Committed Burst Size）を変更することにより、ベストエフォート帯域を公平に割り当てる構成とすることができる。
【００３０】
図４に示すように、ポリサー設定部１−１１には、ピークレート設定値（ＰＩＲ）処理部１−１１１、ピークレート許容バースト設定値（ＰＢＳ）処理部１−１１２及び最低帯域保証レート許容バースト設定値（ＣＢＳ）処理部１−１１３を備えている。そこで、図３に示す実施形態と同様にオペレーションシステム３−２からの制御情報に従って、ピークレート許容バースト設定値（ＰＢＳ）又は最低帯域保証レート許容バースト設定値（ＣＢＳ）を変更するよう、ピークレート許容バースト設定値（ＰＢＳ）処理部１−１１２又は最低帯域保証レート許容バースト設定値（ＣＢＳ）処理部１−１１３を制御する。
【００３１】
ヘビーユーザに対してそのピークレート許容バースト設定値（ＰＢＳ）を低い値とすることにより、この設定値を越えて入力されるパケットデータは廃棄されるため、ヘビーユーザに対するベストエフォート帯域の割り当てを相対的に減少させ、各ユーザに対する公平な割り当てを行うことができる。
【００３２】
同様に、ヘビーユーザに対してその最低帯域保証レートの許容バースト設定値（ＣＢＳ）を低い値とすることにより、この設定値を越えて入力されるパケットデータは廃棄されるため、ヘビーユーザに対するベストエフォート帯域の割り当てを相対的に減少させ、各ユーザに対する公平な割り当てを行うことができる。
【００３３】
更に、ピークレート設定値（ＰＩＲ）、ピークレート許容バースト設定値（ＰＢＳ）又は最低帯域保証レート許容バースト設定値（ＣＢＳ）の変更を複合的に組み合わせて、ヘビーユーザに対するベストエフォート帯域の割り当てを相対的に減少させ、各ユーザに対する公平な割り当てを行う構成とすることができる。
【００３４】
上述のピークレート設定値（ＰＩＲ）の変更制御の具体例として、最も多くパケットデータ流出しているユーザに対して、ベストエフォート帯域分が通常時の１／２となるように、ピークレート設定値（ＰＩＲ）を変更し、その他のユーザのピークレート（ＰＩＲ）を元の通常時（契約時）の値に戻すという制御を行う構成とすることができる。
【００３５】
また、ピークレート許容バースト設定値（ＰＢＳ）の変更制御の具体例として、最も多くパケットデータ流出しているユーザに対して、ベストエフォート帯域分が通常時の１／２となるように、ピークレート許容バースト設定値（ＰＢＳ）を変更し、その他のユーザのピークレート許容バースト設定値（ＰＢＳ）を元の通常時の値に戻すという制御を行う構成とすることができる。
【００３６】
また、最低帯域保証レート許容バースト設定値（ＣＢＳ）の変更制御の具体例として、最も多くパケットデータ流出しているユーザに対して、ベストエフォート帯域分が通常時の１／２となるように、最低帯域保証レート許容バースト設定値（ＣＢＳ）を変更し、その他のユーザの最低帯域保証レート許容バースト設定値（ＣＢＳ）を元の通常時の値に戻すという制御を行う構成とすることができる。
【００３７】
また、パケットデータの通信量から各ユーザが使用しているベストエフォート帯域分の比率を算出し、該比率の逆数を現行のベストエフォート帯域分に乗じた帯域を新たなベストエフォート帯域分として、ピークレート設定値（ＰＩＲ）、ピークレート許容バースト設定値（ＰＢＳ）又は最低帯域保証レート許容バースト設定値（ＣＢＳ）を設定し、各ユーザが使用し得るベストエフォート帯域を均一化する構成とすることができる。
【００３８】
上述の実施形態では、各ユーザは最低帯域保証レート（ＣＩＲ）及びピークレート（ＰＩＲ）に関して、同一の条件で同一の契約料金の場合の動作について説明したが、各ユーザがそれぞれ個々に契約した異なる条件で異なる契約料金の場合は、それぞれ各ユーザに契約料金に対応したベストエフォート帯域分を割り当てるよう、上記のピークレート設定値（ＰＩＲ）、ピークレート許容バースト設定値（ＰＢＳ）又は最低帯域保証レート許容バースト設定値（ＣＢＳ）を設定する構成とすることができる。
【００３９】
また、各ユーザからの要求により、所定期間のみピークレート（ＰＩＲ）設定値等を高く設定して通過可能なパケットデータ量を多く設定し、上記の所定期間の経過後は、他のユーザと公平になるように、ピークレート（ＰＩＲ）値等を通常の値に戻す付加サービスを実施するなど、ユーザの要望に応じたきめ細かな通信サービスを実施することが可能となる。
【００４０】
また、各ユーザからのパケットデータに対して、優先クラス毎にベストエフォート帯域分のパケット流出量を計測し、その値を基に優先クラス毎のトラフィックの統計情報を算出し、優先クラス毎のピークレート設定値（ＰＩＲ）処理部に該統計情報をフィードバックし、各ユーザのパケットデータに対して優先クラスに応じたベストエフォート帯域を割り当てる構成とすることができる。
【００４１】
上記優先クラスに応じたベストエフォート帯域の割り当ては、ピークレート設定値（ＰＩＲ）処理部に対するフィードバックのみならず、ピークレート許容バースト設定値（ＰＢＳ）処理部又は最低帯域保証レート許容バースト設定値（ＣＢＳ）処理部に対するフィードバックによって実施する構成とすることができる。
【００４２】
（付記１）最低帯域保証型及びベストエフォート型の通信サービスを提供する各ポートから入力されるパケットデータの流出量を計測し、
前記計測結果を基に、各ポートのベストエフォート帯域分のパケットデータ流出量の、課金対象期間に対応した統計情報を算出し、
前記統計情報を基に、契約した通信レートに対してより多くのパケットデータを流出したポートのピークレート設定値を低く設定するようピークレート設定値を変更し、
前記ピークレート設定値及び最低帯域保証レートを基に、前記各ポートに対してベストエフォート帯域分を公平に割り当てることを特徴とするベストエフォート帯域の割り当て方法。
（付記２）最低帯域保証型及びベストエフォート型の通信サービスを提供する各ポートから入力されるパケットデータの流出量を計測し、該計測結果を基に、各ポートのベストエフォート帯域分のパケットデータ流出量の、課金対象期間に対応した統計情報を算出する統計情報取得部と、
前記統計情報を基に、契約した通信レートに対してより多くのパケットデータを流出したポートのピークレート設定値を低く設定するようピークレート設定値を変更するポリサー設定部と、
前記ピークレート設定値及び最低帯域保証レートを基に、前記各ポートに対してベストエフォート帯域分を公平に割り当てポリサー機能及びシェーパ機能と
を備えたことを特徴とするベストエフォート帯域の割り当て装置。
（付記３）前記各ポートから入力されるパケットデータの流出量の計測結果を、上位のオペレーションシステムに通知し、前記オペレーションシステムで算出された前記ポート毎のベストエフォート帯域分のパケットデータ流出量の、課金対象期間に対応した統計情報を基に、前記各ポートのピークレート設定値を変更することを特徴とする付記２に記載のベストエフォート帯域の割り当て装置。
（付記４）最低帯域保証型及びベストエフォート型の通信サービスを提供する各ポートから入力されるパケットデータの流出量を計測し、該計測結果を基に、各ポートのベストエフォート帯域分のパケットデータ流出量の、課金対象期間に対応した統計情報を算出する統計情報取得部と、
前記統計情報を基に、契約した通信レートに対してより多くのパケットデータを流出したポートのピークレート許容バースト設定値を低く設定するようピークレート許容バースト設定値を変更するポリサー設定部と、
ピークレート設定値及び最低帯域保証レートを基に、前記各ポートに対してベストエフォート帯域分を公平に割り当てポリサー機能及びシェーパ機能と
を備えたことを特徴とするベストエフォート帯域の割り当て装置。
（付記５）最低帯域保証型及びベストエフォート型の通信サービスを提供する各ポートから入力されるパケットデータの流出量を計測し、該計測結果を基に、各ポートのベストエフォート帯域分のパケットデータ流出量の、課金対象期間に対応した統計情報を算出する統計情報取得部と、
前記統計情報を基に、契約した通信レートに対してより多くのパケットデータを流出したポートの最低帯域保証レート許容バースト設定値を低く設定するよう最低帯域保証レート許容バースト設定値を変更するポリサー設定部と、
ピークレート設定値及び最低帯域保証レートを基に、前記各ポートに対してベストエフォート帯域分を公平に割り当てポリサー機能及びシェーパ機能と
を備えたことを特徴とするベストエフォート帯域の割り当て装置。
(付記６）前記各ポートから入力されるパケットデータの流出量の計測結果を、上位のオペレーションシステムに通知し、前記オペレーションシステムで算出された前記ポート毎のベストエフォート帯域分のパケットデータ流出量の、課金対象期間に対応した統計情報を基に、前記各ポートのピークレート許容バースト設定値を変更することを特徴とする付記４に記載のベストエフォート帯域の割り当て装置。
(付記７）前記各ポートから入力されるパケットデータの流出量の計測結果を、上位のオペレーションシステムに通知し、前記オペレーションシステムで算出された前記ポート毎のベストエフォート帯域分のパケットデータ流出量の、課金対象期間に対応した統計情報を基に、前記各ポートの最低帯域保証レート許容バースト設定値を変更することを特徴とする付記５に記載のベストエフォート帯域の割り当て装置。
【図面の簡単な説明】
【００４３】
【図１】本発明によるレイヤ２スイッチの機能ブロック及び動作フローを示す図である。
【図２】本発明による統計情報を基にピークレート（ＰＩＲ）の設定変更を行う具体例を示す図である。
【図３】オペレーションシステムによりピークレート（ＰＩＲ）の設定を行う実施形態を示す図である。
【図４】本発明におけるＰＩＲ処理部、ＰＢＳ処理部、ＣＢＳ処理部を示す図である。
【図５】従来の帯域保証・ベストエフォートサービスの出力レートを示す図である。
【符号の説明】
【００４４】
１−１  入側処理部
１−１１  ポリサー設定部
１−２  出側処理部
１−２１  シェーパ設定部
１−２２  統計情報取得部
【図１】
2008085692.tif 000003
【図２】
2008085692.tif 000004
【図３】
2008085692.tif 000005
【図４】
2008085692.tif 000006
【図５】
2008085692.tif 000007